(57)【要約】本発明は、概ね円筒状をなす触媒コンバータ（４）を、内燃エンジン（１、１０１、２０１）の硬い部分へ取り付けるための、触媒コンバータ取り付け装置に関する。本発明の触媒コンバータ取り付け装置は、触媒コンバータ（４）を取り囲み、触媒コンバータ（４）の軸方向の面の両側にＶ字状に配置された、少なくとも１対の支持点（６、１０６）を介して、触媒コンバータ（４）を硬い部分の上に保持する、少なくとも１つの締結バンド（５、１０５、２０５）と、締結バンド（５、１０５、２０５）の少なくとも一部分の固定手段と、締結バンド（５、１０５、２０５）の締め付け手段とを有する。本発明によれば、支持点（６、１０６）は独立していて硬い部分に支持される。更に、締結バンド（５、１０５、２０５）の一部分は、硬い部分へ直接取り付けられる。
2008514847.tif 000002
【特許請求の範囲】
【請求項１】
概ね円筒状をなす触媒コンバータ（４）を、内燃エンジン（１、１０１、２０１）の硬い部分へ取り付けるための、触媒コンバータ取り付け装置であって、上記触媒コンバータ取り付け装置は、上記触媒コンバータ（４）を取り囲み、上記触媒コンバータ（４）の軸方向の面の両側にＶ字状に配置された、少なくとも１対の支持点（６、１０６）を介して、上記触媒コンバータ（４）を上記硬い部分の上に保持する、少なくとも１つの締結バンド（５、１０５、２０５）と、上記締結バンド（５、１０５、２０５）の少なくとも一部分の固定手段と、上記締結バンド（５、１０５、２０５）の締め付け手段とを有する、触媒コンバータ取り付け装置において、上記支持点（６、１０６）は独立していて上記硬い部分に支持され、上記締結バンド（５、１０５、２０５）の一部分が、上記硬い部分へ直接取り付けられることを特徴とする、触媒コンバータ取り付け装置。
【請求項２】
上記締結バンド（５）の上記一部分の固定点は、上記支持点（６）の間の上記軸方向の面に位置することを特徴とする、請求項１に記載の触媒コンバータ取り付け装置。
【請求項３】
軸方向にずらされた少なくとも２つの上記締結バンド（５）を有し、各上記締結バンド（５）の上記一部分の上記固定点は、一対の上記支持点（６）の間の上記軸方向の面に位置し、各一対の上記支持点（６）は、対応する上記締結バンド（５）の面に配置されることを特徴とする、請求項２に記載の触媒コンバータ取り付け装置。
【請求項４】
上記支持点（６）は、上記硬い部分と一体に形成されることを特徴とする、請求項１〜３のいずれか１つに記載の触媒コンバータ取り付け装置。
【請求項５】
上記支持点（１０６）が、上記硬い部分の同じ点に取り付けられた支持部品（１０８）を有することを特徴とする、請求項１に記載の触媒コンバータ取り付け装置。
【請求項６】
上記締結バンド（１０５、２０５）の上記一部分と、上記支持部品（１０８、２０８）が、上記硬い部分の同じ点に取り付けられることを特徴とする、請求項５に記載の触媒コンバータ取り付け装置。
【請求項７】
各上記支持点（１０６）が、上記硬い部分に取り付けられた上記支持部品（１０８、２０８）を有することを特徴とする、請求項６に記載の触媒コンバータ取り付け装置。
【請求項８】
端部が上記硬い部分に取り付けられた、軸方向にずらされた２つの上記締結バンド（２０５）を有し、上記締結バンド（２０５）の２つの固定点（２０４）の間を縦方向に伸びる上記支持部品（２０８）を有することを特徴とする、請求項５〜７のいずれか１つに記載の触媒コンバータ取り付け装置。
【請求項９】
各上記支持部品（１０８、２０８）は、半径方向の分枝（１１８、２１８）と、上記半径方向の分枝（１１８、２１８）の自由端（１１８ａ）と上記触媒コンバータの外面の対向する部分との間に設けられたる接線方向の分枝（１１９、２１９）とを有する、折り曲げられた金属板の突起部によって構成されることを特徴とする、請求項５〜８のいずれか１つに記載の触媒コンバータ取り付け装置。
【請求項１０】
上記支持点（１０６）は、上記硬い部分と一体に形成されることを特徴とする、請求項５〜９のいずれか１つに記載の触媒コンバータ取り付け装置。
【発明の詳細な説明】
【技術分野】
【０００１】
本発明は触媒コンバータ取り付け装置に関し、特に触媒コンバータの内燃エンジンの硬い部分への取り付け装置に関する。
【背景技術】
【０００２】
触媒コンバータは、内燃エンジンの排気ラインに位置している。一般に、触媒コンバータは円筒形状を有し、排気ガスを処理するための少なくとも１つの一体構造（モノリス）の担体を含む。触媒コンバータは、排気マニホールドの下流、または、過給機付きの内燃エンジンの場合にはターボチャージャの下流に位置している。触媒コンバータの重量と容積が増大しているために、現在は、締結バンドによる取り付け装置が使用されており、この取り付け装置は、シリンダブロックに接続され、シリンダブロックに近接して触媒コンバータを保持している。このような取り付け装置には、振動に対する対策が充分でないという問題がある。
【特許文献１】ＧＢ  ２  ２１２  ７７１  Ａ
【特許文献２】ＦＲ  ２  ８３７  ８８１  Ａ
【特許文献３】ＵＳ  ２  ９１２  １９８  Ａ
【発明の開示】
【発明が解決しようとする課題】
【０００３】
本発明は、従来技術における上記問題を解消することを目的とする。
【課題を解決するための手段】
【０００４】
上記目的を達成するため、本発明は、概ね円筒状をなす触媒コンバータを、内燃エンジンの硬い部分へ取り付けるための、触媒コンバータ取り付け装置であって、上記触媒コンバータ取り付け装置は、上記触媒コンバータを取り囲み、上記触媒コンバータの軸方向の面の両側にＶ字状に配置された、少なくとも１対の支持点を介して、上記触媒コンバータを上記硬い部分の上に保持する、少なくとも１つの締結バンドと、上記締結バンドの少なくとも一部分の固定手段と、上記締結バンドの締め付け手段とを有し、上記支持点は独立していて上記硬い部分に支持され、上記締結バンドの一部分が、上記硬い部分へ直接取り付けられる、触媒コンバータ取り付け装置を提供する。
【０００５】
本発明のその他の特徴によれば：
−上記締結バンドの上記一部分の固定点は、上記支持点の間の上記軸方向の面に位置することができ、
−上記触媒コンバータ取り付け装置は、軸方向にずらされた少なくとも２つの上記締結バンドを有することができ、各上記締結バンドの上記一部分の上記固定点は、一対の上記支持点の間の上記軸方向の面に位置し、各一対の上記支持点は、対応する上記締結バンドの面に配置され、
−上記支持点は、上記硬い部分と一体に形成される。
【０００６】
本発明の他の１つの実施の形態によれば：
−上記支持点は、上記硬い部分の同じ点に取り付けられた支持部品を有することができ、
−上記締結バンドの上記一部分と、上記支持部品は、上記硬い部分の同じ点に取り付けられ、
−各上記支持点は、上記硬い部分に取り付けられた上記支持部品を有することができ、
−上記触媒コンバータ取り付け装置は、端部が上記硬い部分に取り付けられた、軸方向にずらされた２つの上記締結バンドを有し、上記締結バンドの２つの固定点の間を縦方向に伸びる上記支持部品を有することができ、
−各上記支持部品は、半径方向の分枝と、上記半径方向の分枝の自由端と上記触媒コンバータの外面の対向する部分との間に設けられたる接線方向の分枝とを有する、折り曲げられた金属板の突起部によって構成され、
−上記支持点は、上記硬い部分と一体に形成される。
【発明を実施するための最良の形態】
【０００７】
本発明及びその利点は、例として示され、非限定的な、添付図面によって図示された、実施の形態の詳細な説明によって明らかとなるであろう。これらの図面において：
−図１は、本発明による触媒コンバータ取り付け装置の第１の実施の形態の正面図であり；
−図２は、触媒コンバータを含まない第１の実施の形態の斜視図であり；
−図３は、本発明による触媒コンバータ取り付け装置の第２の実施の形態の正面図であり；
−図４は、触媒コンバータを含まない第２の実施の形態の斜視図であり；
−図５は、触媒コンバータを含まない第２の実施の形態の１変形の斜視図である。
【０００８】
図１、２は、Ｖ型の内燃エンジン１の一部を示す。触媒コンバータ４は、触媒コンバータ取り付け装置によって、内燃エンジン１へ取り付けられる。触媒コンバータ取り付け装置は、触媒コンバータ４を取り囲み、触媒コンバータ４が内燃エンジン１の硬い部分に支持されるように保持する、少なくとも１つの締結バンド５を有する。用語「硬い部分」は、シリンダブロック２、シリンダヘッド（図示しない）、またはシリンダヘッドとシリンダブロック２からなる組立体を意味する。締結バンド５は、触媒コンバータ４の軸方向の面の両側にＶ字状に配置された、少なくとも１対の支持点６を介して、触媒コンバータ４を内燃エンジン１の硬い部分の上に保持する。本発明によれば、支持点６は独立している。この実施の形態においては、支持点６は硬い部分と一体に形成され、２つの支持点６は、触媒コンバータ４の軸方向の面の両側に配置されている。この実施の形態においては、触媒コンバータ取り付け装置は、２対の支持点６を用いる。
【０００９】
また、触媒コンバータ取り付け装置は、締結バンド５の少なくとも一部分の固定手段を有する。本発明によれば、締結バンド５のこの一部分は、硬い部分へ直接取り付けられる。すなわち、締結バンド５のこの一部分と硬い部分との間に介在する部品は存在せず、締結バンド５のこの一部分は硬い部分に直接接触する。この固定手段は、固定ビス７と、締結バンド５のこの一部分を整形する整形部品８からなる。
【００１０】
締結バンド５の一部分の固定点は、上記の軸方向の面における支持点６の間に位置する。
【００１１】
締結バンド５の一部分は、固定ビス７を受け入れるために穿孔される。固定ビス７は、内燃エンジン１の硬い部分に形成されたネジ孔に適合する。図１に示すように、ネジ孔は、シリンダブロック２の突起部１０に形成することができる。
【００１２】
また、触媒コンバータ取り付け装置は、締結バンド５の締め付け手段を有する。非限定的なこの例においては、この締め付け手段は、それぞれ締結バンド５の一端及び他端に取り付けられた、軸１２とナット１３を通り抜ける、少なくとも１つの接線方向ビス１１を有する。
【００１３】
触媒コンバータ取り付け装置は、軸方向にずらされた２つの締結バンド５を用いることができる。これらの各締結バンド５に対して、締結バンド５の一部分の固定点が、上記の軸方向の面における支持点６の間に配置され、各一対の支持点６は、対応する締結バンド５の面に配置される。
【００１４】
第２の実施の形態を、図３、４に示す。図３、４は、内燃エンジン１０１の硬い部分を略図で示す。触媒コンバータ４は、触媒コンバータ取り付け装置によって、内燃エンジン１０１の側部へ取り付けられる。触媒コンバータ取り付け装置は、触媒コンバータ４を取り囲み、触媒コンバータ４が内燃エンジン１０１の硬い部分に支持されるように保持する、少なくとも１つの締結バンド１０５を有する。用語「硬い部分」は、シリンダブロック、シリンダヘッド、またはシリンダヘッドとシリンダブロックからなる組立体を意味する。締結バンド１０５は、触媒コンバータ４の軸方向の面の両側にＶ字状に配置された、少なくとも１対の支持点１０６を介して、触媒コンバータ４を内燃エンジン１０１の硬い部分の上に保持する。本発明によれば、支持点１０６は独立している。この実施の形態においては、支持点１０６は硬い部分と一体に形成され、２つの支持点１０６は、触媒コンバータ４の軸方向の面の両側に配置されている。この実施の形態においては、触媒コンバータ取り付け装置は、２対の支持点１０６を用いる。
【００１５】
また、触媒コンバータ取り付け装置は、締結バンド１０５の少なくとも一部分の固定手段を有する。本発明によれば、締結バンド１０５のこの一部分は、硬い部分へ直接取り付けられる。すなわち、締結バンド１０５のこの一部分と硬い部分との間に介在する部品は存在せず、締結バンド１０５のこの一部分は硬い部分に直接接触する。
【００１６】
この第２の実施の形態においては、各支持点１０６は、内燃エンジン１０１の硬い部分の同じ点に取り付けられる支持部品１０８を有することができる。また、例えば端部である締結バンド１０５の一部分と支持部品１０８は、内燃エンジン１０１の硬い部分のこの同じ点に取り付けられる。
【００１７】
各部分のための固定手段は、固定ビス１０７と支持部品１０８からなる。
【００１８】
締結バンド５の一部分は、固定ビス１０７を受け入れるために穿孔される。固定ビス１０７は、内燃エンジン１０１の硬い部分に形成されたネジ孔１０９に適合する。図３に示すように、ネジ孔１０９は、内燃エンジン１０１の突起部１１０に形成することができる。
【００１９】
また、触媒コンバータ取り付け装置は、締結バンド１０５の締め付け手段を有する。非限定的なこの例においては、この締め付け手段は固定ビス１０７からなる。第１の実施の形態に記載した、軸とナットを通り抜ける、接線方向ビスからなる締め付け手段を使用することもできる。
【００２０】
触媒コンバータ取り付け装置は、軸方向にずらされた２つの締結バンド１０５を用いることができ、各一対の支持点１０６は、対応する締結バンド５の面に配置される。
【００２１】
各支持部品１０８は、半径方向の分枝１１８と接線方向の分枝１１９とを有する、折り曲げられた金属板の突起部によって構成される。接線方向の分枝１１９は、半径方向の分枝１１８の自由端１１８ａと触媒コンバータ４の外面の対向する部分との間に設けられる。
【００２２】
図５に示す第２の実施の形態の１変形においては、触媒コンバータ取り付け装置は、端部が内燃エンジン２０１の硬い部分に取り付けられた、軸方向にずらされた２つの締結バンド２０５を有する。この変形においては、触媒コンバータ取り付け装置は、締結バンド２０５の２つの固定点２０４の間を縦方向に伸びる支持部品２０８を有する。支持部品２０８は、半径方向の分枝２１８と接線方向の分枝２１９とを有する、折り曲げられた金属板の突起部によって構成される。接線方向の分枝２１９は、半径方向の分枝の自由端と触媒コンバータ（図示しない）の外面の対向する部分との間に設けられる。
【図１】
2008514847.tif 000003
【図２】
2008514847.tif 000004
【図３】
2008514847.tif 000005
【図４】
2008514847.tif 000006
【図５】
2008514847.tif 000007
【国際調査報告】
2008514847.tif 000008
2008514847.tif 000009
2008514847.tif 000010
2008514847.tif 000011